(57)【要約】【課題】複数のインキジェットモジュールを含むインキジェット印刷ヘッドにおいて、各インキジェットモジュールのインキの流れを個々に遮断できるようにする。【解決手段】インキジェット印刷ヘッド２が、インキ送り装置２０と、インキ送り装置２０に接続された、第１のインキジェットモジュール５４と第２のインキジェットモジュール１５４を含んでいる。インキ送り装置２０は、第１のインキジェットモジュール５４へのインキの流れを選択的に遮断する第１の遮断装置と、第２のインキジェットモジュール１５４へのインキの流れを選択的に遮断する第２の遮断装置を有している。【選択図】図１
2006281785.tif 000002
【特許請求の範囲】
【請求項１】
インキ送り装置と、
第１のインキジェットモジュールと第２のインキジェットモジュールを含み、前記インキ送り装置に接続された複数のインキジェットモジュールと、
を有し、
前記インキ送り装置は、前記第１のインキジェットモジュールへのインキの流れを選択的に遮断する第１の遮断装置と、前記第２のインキジェットモジュールへのインキの流れを選択的に遮断する第２の遮断装置を有する、
インキジェット印刷ヘッド。
【請求項２】
前記インキ送り装置は前記第１および第２のインキジェットモジュール用の共通のインキ入口を有する、請求項１に記載のインキジェット印刷ヘッド。
【請求項３】
前記インキ送り装置は前記第１および第２のインキジェットモジュール用の第１のインキ出口と第２のインキ出口を有する、請求項２に記載のインキジェット印刷ヘッド。
【請求項４】
前記第１の遮断装置は前記共通のインキ入口と前記第１のインキ出口の間に位置し、前記第２の遮断装置は前記共通のインキ入口と前記第２のインキ出口の間に位置している、請求項１に記載のインキジェット印刷ヘッド。
【請求項５】
前記第１および第２の遮断装置は流れを選択的に遮断するように回転する、請求項１に記載のインキジェット印刷ヘッド。
【請求項６】
前記インキ送り装置は可撓性の管を含み、前記第１の遮断装置は前記可撓性の管を挟みつけることができる、請求項１に記載のインキジェット印刷ヘッド。
【請求項７】
請求項１に記載のインキジェット印刷ヘッドを有する印刷機。
【請求項８】
前記インキジェット印刷ヘッドと同じ被印刷物材料に印刷するオフセット平版印刷ユニットをさらに有する、請求項７に記載の印刷機。
【請求項９】
インキ送り装置と、
前記インキ送り装置に接続された複数のインキジェットモジュールと
を有し、
前記複数のインキジェットモジュールは第１のインキジェットモジュールと第２のインキジェットモジュールを含み、前記インキ送り装置は、前記第１のインキジェットモジュールにインキを送る第１のインキ通路と、前記第２のインキジェットモジュールにインキを送る第２のインキ通路と、前記第１のインキ通路に接続された第１のインキ遮断弁と、前記第２のインキ通路に接続された第２のインキ遮断弁と、第１の出口および第２の出口に接続された共通のインキ入口を有する取り外し可能なモジュールとを含み、前記モジュールが前記インキ送り装置に接続されたときに前記第１および第２の遮断弁が開かれ、前記モジュールが取り外されたときに前記第１および第２の遮断弁が閉じられるように、前記第１の出口は前記第１の遮断弁と相互に作用し、前記第２の出口は前記第２の遮断弁と相互に作用する、
インキジェット印刷ヘッド。
【発明の詳細な説明】
【技術分野】
【０００１】
本発明は概ねインキジェット装置に関する。
【背景技術】
【０００２】
第１の特許文献が、オリフィス板を含むサンドイッチ構造の多岐管装置（manifold sandwich）に取り付けられた複数のインキジェットモジュールを備えたインキジェット印刷ヘッドを開示している。フレーム内の入口開口を通して受け取られたインキが、フィルタ層内の開口を通過して、複数のインキジェットモジュール内のインキ入口開口に分配される。特許文献１は、特許文献２および特許文献３と同様に、引用によってここに組み込まれる。
【特許文献１】米国特許第６３５７８６７号
【特許文献２】米国特許第５７０１１４８号
【特許文献１】米国特許出願公開第２００５／００３４６５８号
【発明の開示】
【発明が解決しようとする課題】
【０００３】
本発明の目的は、複数のインキジェットモジュールを含むインキジェット印刷ヘッド内の各モジュールに個々のインキ遮断部材を提供することにある。
【課題を解決するための手段】
【０００４】
本発明は、インキ送り装置と、インキ送り装置に接続された複数のインキジェットモジュールを有し、複数のインキジェットモジュールは第１のインキジェットモジュールと第２のインキジェットモジュールを含み、インキ送り装置は、第１のインキジェットモジュールへのインキの流れを選択的に可能にするか、または遮断する第１の遮断装置を有する、インキジェット印刷ヘッドを提供する。インキ送り装置の第２の遮断装置は、第２のインキジェットモジュールへのインキの流れを選択的に可能にするか、または遮断する。
【０００５】
インキ送り装置内に個々のインキジェットモジュール用の遮断装置を有していることによって、個々のインキジェットモジュールは、有利なことに、インキジェット印刷ヘッド全体を排水する必要なしに使用することができる。このようなインキジェット印刷ヘッド全体の排水は、インキを浪費し、休止時間を過度に長くし、インキがこぼれる可能性を生じさせることがある。
【０００６】
好ましくは、インキ送り装置は、第１および第２のインキジェットモジュール用の共通のインキ入口を有する。インキ送り装置は第１および第２のインキジェットモジュール用の第１のインキ出口と第２のインキ出口をそれぞれ有していてもよい。第１の遮断装置は共通のインキ入口と第１のインキ出口の間に位置していてもよく、第２の遮断装置は共通のインキ入口と第２のインキ出口の間に位置していてもよい。
【０００７】
遮断装置は、例えばねじ式の遮断弁であってもよい。
【０００８】
遮断装置はインキ送り装置内の可撓性の管を挟みつけてもよい。
【０００９】
本発明は、インキ送り装置と、インキ送り装置に接続された複数のインキジェットモジュールとを有し、複数のインキジェットモジュールは第１のインキジェットモジュールと第２のインキジェットモジュールを含み、インキ送り装置は、第１のインキジェットモジュールにインキを送る第１のインキ通路と、第２のインキジェットモジュールにインキを送る第２のインキ通路と、第１のインキ通路に接続された第１のインキ遮断弁と、第２のインキ通路に接続された第２のインキ遮断弁と、第１の出口および第２の出口に接続された共通のインキ入口を有する取り外し可能なモジュールとを含み、モジュールがインキ送り装置に接続されたときに第１および第２の遮断弁が開かれ、その後にモジュールが取り外されたときに第１および第２の遮断弁が閉じられるように、第１の出口は第１の遮断弁と相互に作用し、第２の出口は第２の遮断弁と相互に作用する、インキジェット印刷ヘッドも提供する。
【発明を実施するための最良の形態】
【００１０】
以下、本発明の実施の形態について図面を参照して説明する。
【００１１】
図１は、例えば、引用によってここに組み入れる特許文献１に記載されているインキジェットモジュールと同じであってもよく、各々がそれらの底部にインキ入口を有していてもよい複数のインキジェットモジュール５４，１５４を有するインキジェット印刷ヘッド２を示している。インキジェットモジュール５４，１５４は、インキジェットノズル用の開口とインキジェットモジュール５４，１５４用の接続部とを有する見当合わせ板（registration plate）８０に接続されていてもよい。見当合わせ板８０は、各々がインキジェットモジュール５４，１５４の各インキ入口に接続された出口を有している、各インキモジュール用のインキ通路も有していてよい。インキが、被印刷物に印刷するノズルを通して送られるように、電子機器基板１０が、インキジェットモジュール５４，１５４のノズルを通るインキの供給を制御してもよい。
【００１２】
インキジェット印刷ヘッド２は、例えば、図１に概略的に示されている、ブランケット胴４と版胴６を備えているオフセット平版印刷ユニットを用いて先に印刷されている枚葉紙材料８に印刷できる。例えば、異なる４色のオフセット平版印刷ユニットが設けられていてもよい。
【００１３】
４つ以上のインキジェットモジュール１５４が電子機器基板１０の左側縁部に接続されていてもよく、電子機器基板１０の右側縁部に接続された４つ以上のインキジェットモジュール５４と交互に位置していてもよい。各モジュール１５４用の個々のインキ入口が図１の左側にあってもよく、各モジュール５４用の個々のインキ入口が図１の右側にあってもよい。
【００１４】
見当合わせ板８０はインキ送り装置２０、ここではインキ多岐管モジュール２２，１２２も支持していてよい。
【００１５】
図２に概略的に示されているように、インキジェット印刷ヘッド用のインキが、共通のインキ入口３２を通してインキ多岐管モジュール２２内に流れ、その後に下降して個々のインキ流路３４を流れる。見当合わせ板８０は各モジュール用のインキ通路８２を有し、フィルタを通してインキを送ってもよい。
【００１６】
次に、インキはインキジェットモジュール５４用のインキ入口８４まで行き、ここで概略的に図示しているよりも多く存在していてもよいノズル８６まで行く前に、例えば、引用によってここに組み入れる特許文献１に記載されているような薄膜を介して低圧にさらされてもよい。
【００１７】
遮断装置３６が、個々のインキジェットモジュール５４へのインキの流れを個々に遮断することができ、したがって、修理をより容易に行うことができる。他のモジュールを排水する必要はなく、これらのモジュールについては、インキ内の空気と不純物を排出した後に排出に付随する問題が回避される。
【００１８】
図３はインキ多岐管モジュール２２の一実施形態を示している。インキは供給部材４２によって共通のインキ入口３２に入り、そこで４つのインキ流路３４のうちの１つを通過してインキ出口４４，１４４，２４４，３４４において見当合わせ板８０へ出る。
【００１９】
図４ａは、例えば、共通のインキ入口３２とインキ流路３４の間の穴を選択的に塞ぐプランジャ５２を有していてもよい遮断装置３６の一実施形態を示している。プランジャ５２は、インキ入口３２の壁に気密に固定されている、内側にねじが切られたナット２５４と相互に作用するねじ部材５０の端部にあってもよい。ノブ、すなわちねじ頭５６を、プランジャ５２を方向Ｄに前後に移動させるためにねじ部材５０を回すのに用いてもよい。図４ｂは、複数のモジュール５４のうちの１つへのインキの流れを遮断するために穴５８を閉じるプランジャ５２を示している。
【００２０】
図５は、ねじ部材６４を備えた遮断装置３６が押し部材（pusher）６６を支持している、他の実施形態を示している。ねじ部材６４は、破線６２で示すように押し部材６６が可撓性の管６０を挟みつけることができるように、支持体６８の内側のねじ部分内に支持されていてもよい。したがって、流路３４内のインキの流れを、汚染物質がインキに入る危険性なしに遮断できる。
【００２１】
もちろん、電気制御されるものを含め、他の遮断装置を用いてもよい。
【００２２】
図６は、４つのモジュールへのインキの流れの全てを、迅速に分離するインキ多岐管モジュール７２を取り除くことによって、一方の側で遮断することができる、本発明の他の実施形態を示している。４つのインキ流路９０は、例えば、インキ流路９０の位置とインキ多岐管モジュール７２の間の小さなばらつきに対処するためにインキ流路９０がわずかに動けるようにするが、インキ多岐管モジュール７２が管９２と接続できるようにするために十分な剛性を生じさせる可撓性の管９２によって、見当合わせ板８０に固定されていてもよい。図７に示すように、インキ多岐管モジュール７２は、共通のインキ入口３２と、インキ流路９０に接続された４つの出口９８を有する。図８に示すように、各インキ流路９０は、モジュール７２が取り除かれたときに流路９０内のインキの汚染を回避するように、迅速に分離する弁９２を有している。前記したのと同様に、インキジェットモジュール５４の排水は必要ではない。迅速に分離する弁９２は、ばね７８に取り付けられたボール７６を含んでいてもよい。ニードル７４は、迅速に分離する多岐管モジュール７２がインキ流路９０内へのインキの流れを可能にするように接続されているときに、ボール７６内に押し込むことができる。
【００２３】
ここで定義される「インキ」は、枚葉紙材に塗布され、インキジェット技術を用いて出すことができる任意の液体であってよく、例えば顔料の液体とニスなどの無色の液体の両方を含んでいてもよく、ここで定義されるインキは、小滴として送ることができる生物流体または化学流体であってもよい。
【図面の簡単な説明】
【００２４】
【図１】個々の遮断弁を有する、本発明の第１の実施形態を示す図である。
【図２】インキの流れを概略的に示す側面図である。
【図３】インキ送り装置をより詳細に示す図である。
【図４ａ】開いた位置にある遮断装置の一実施形態を示す図である。
【図４ｂ】閉じた位置にある遮断装置の一実施形態を示す図である。
【図５】遮断装置の他の実施形態を示す図である。
【図６】本発明の他の実施形態を示す図である。
【図７】図６の実施形態にて用いられるモジュールを示す図である。
【図８】図６の実施形態の迅速な遮断弁を示す図である。
【符号の説明】
【００２５】
２        インキジェット印刷ヘッド
４        ブランケット胴
６        版胴
１０      電子機器基板
２０      インキ送り装置
２２      インキ多岐管モジュール
３２      共通のインキ入口
３４      インキ流路
３６      遮断装置
４２      供給部材
４４，１４４，２４４，３４４      インキ出口
５０      ねじ部材
５２      プランジャ
５４，１５４      インキジェットモジュール
５６      ねじ頭
５８      穴
６０      管
６２      破線
６４      ねじ部材
６６      押し部材
６８      支持体
７２      インキ多岐管モジュール
７４      ニードル
７６      ボール
７８      ばね
８０      見当合わせ板
８２      インキ通路
８４      インキ入口
８６      ノズル
９０      インキ流路
９８      出口
２５４    ナット
【図１】
2006281785.tif 000003
【図２】
2006281785.tif 000004
【図３】
2006281785.tif 000005
【図４ａ】
2006281785.tif 000006
【図４ｂ】
2006281785.tif 000007
【図５】
2006281785.tif 000008
【図６】
2006281785.tif 000009
【図７】
2006281785.tif 000010
【図８】
2006281785.tif 000011